(57)【要約】【課題】本発明は光電変換装置に係り、組立てがし易い構造を実現することを課題とする。【解決手段】メインのプリント基板４１の上面に、光電変換パッケージ４２、周辺回路パッケージ４３、電子部品４４が半田付けされて実装してある。光プラグ３０が接続される形状の光コネクタシェル５０は、プリント基板４１の上面にボルト６０−１，６０−２とナット６１−１，６１−２とによって固定してある。【選択図】　　　　図１
2004093956.tif 000002
【特許請求の範囲】
【請求項１】
プリント回路基板と、
該プリント回路基板上に半田付けされて実装してある光電変換パッケージと、
上記プリント回路基板上にねじ止めしてある光コネクタシェルとよりなる構成としたことを特徴とする光電変換装置
【請求項２】
請求項１記載の光電変換装置において、
上記光コネクタシェルは、上記光プラグが接続されるシェル本体部と、該シェル本体部から張り出しているねじ止め用の張り出し部とを有し、該張り出し部の下面が、上記シェル本体部の下面より上側にずれている構成であり、
上記プリント回路基板は、上記シェル本体部に対応する大きさの切り欠き部を有し、
上記光コネクタシェルは、上記シェル本体部が上記プリント回路基板の切り欠き部に嵌合している構成としたことを特徴とする光電変換装置。
【発明の詳細な説明】
【０００１】
【発明の属する技術分野】
本発明は光電変換装置に係り、特にＦＴＴＨ（Ｆｉｂｅｒ　ｔｏ　ｔｈｅ　Ｈｏｍｅ）システムに適用されるメディアコンバータ内の光電変換装置に関する。
【０００２】
メディアコンバータは、各家庭に設置されて使用され、光ファイバケーブルを通して送られてきた光信号を電気信号に変換してパソコンに送り出し、且つ、パソコンからの電気信号を光信号に変換して光ファイバケーブルに送り出す役割を有するものである。このメディアコンバータ内には光電変換装置を有する。光電変換装置は、光プラグが接続される光コネクタの部分の他に、光電変換パッケージ及び周辺回路パッケージ等を有する構成である。
【０００３】
【従来の技術】
図６及び図７は従来の光電変換装置１０を示す。光電変換装置１０は、プリント基板１３上に光電変換モジュール２０が実装してある構成である。プリント基板１３上には、光電変換モジュール２０の他に電子部品１４も実装してある。
【０００４】
光電変換モジュール２０は、一つの長方形のプリント基板２１上の長手方向の一端側に、発光素子及び受光素子等がパッケージしてある光電変換パッケージ２２が実装してあり、プリント基板２１の他の部分に周辺回路パッケージ２３が実装してあり、且つ、プリント基板２１の他端側に複数の端子ピン２４が植わっており、且つ、全体がケース２５によって覆われている構成であり、且つ、ケース２５のうち光電変換パッケージ２２の部分が光プラグ３０が接続される形状のシェル部２６とされている構成である。この光電変換モジュール２０は、端子ピン２４の先端をプリント基板１３のスルーホールに挿入し半田付けされて、プリント基板１３上に実装してある。
【０００５】
上記構成の光電変換装置１０は、プリント基板１３をねじ１２によってねじ止めされて、メディアコンバータ本体１１に固定してある。また、光プラグ３０が光電変換モジュール２０の端のシェル部２６に接続される。
【０００６】
【発明が解決しようとする課題】
光電変換装置１０を製造するには、プリント基板２１上に光電変換パッケージ２２及び周辺回路パッケージ２３を実装するリフロー工程の他に、メインのプリント基板１３上に電子部品１４を実装するリフロー工程、更には、端子ピン２４をプリント基板１３に半田付けする工程が必要となり、製造が面倒であった。
【０００７】
また、光コネクタ部２６のプリント基板１３に対する固定は、専ら端子ピン２４によってなされており、充分に頑丈ではなかった。
【０００８】
また、光電変換装置１０の高さＨ１０は、図７に示すように、光電変換モジュール２０の高さＨ１とプリント基板１３の厚さｔ１とが加算されたものとなり、高くなっていた。
【０００９】
そこで、本発明は、上記課題を解決した光電変換装置を提供することを目的とする。
【００１０】
【課題を解決するための手段】
請求項１の発明は、プリント回路基板と、
該プリント回路基板上に半田付けされて実装してある光電変換パッケージと、
上記プリント回路基板上にねじ止めしてある光コネクタシェルとよりなる構成としたものである。
【００１１】
プリント回路基板上に光電変換パッケージが半田付けされて実装してあるものを用意しておき、最後に光コネクタシェルをねじ止めすれば完成するため、半田付け実装するリフロー工程は一度で済み、組立ての工程が簡素化され、製造コストを低減することが出来る。また、光コネクタシェルはねじ止めであるため、固定を頑丈に出来る。
【００１２】
請求項２の発明は、請求項１記載の光電変換装置において、
上記光コネクタシェルは、上記光プラグが接続されるシェル本体部と、該シェル本体部から張り出しているねじ止め用の張り出し部とを有し、該張り出し部の下面が、上記シェル本体部の下面より上側にずれている構成であり、
上記プリント回路基板は、上記シェル本体部に対応する大きさの切り欠き部を有し、
上記光コネクタシェルは、上記シェル本体部が上記プリント回路基板の切り欠き部に嵌合している構成としたものである。
【００１３】
光コネクタシェルをねじ止めしてプリント基板上へ取り付けた状態で、プリント基板の厚さは、光コネクタシェルのシェル本体部の高さ範囲内に含まれることになり、光コネクタモジュールをねじ止めしてプリント基板上へ取り付けた構成の光電変換装置の高さ寸法を短くすることが可能となる。
【００１４】
【発明の実施の形態】
図１及び図２は本発明の一実施例になる光電変換装置４０を示す。光電変換装置４０は、メインのプリント基板４１の上面に、発光素子及び受光素子等がパッケージしてある光電変換パッケージ４２、周辺回路パッケージ４３、電子部品４４及び電気コネクタ４５が半田付けされて実装してあり、且つ、光プラグ３０が接続される形状の光コネクタシェル５０が同じくプリント基板４１の上面にボルト６０−１，６０−２とナット６１−１，６１−２とによって固定してある構成である。光コネクタシェル５０のプリント基板４１への固定状態は頑丈である。光コネクタシェル５０と光電変換パッケージ４２とは図３に示すように組み合わされて結合してある。これについては後述する。
【００１５】
光電変換装置４０は、プリント基板４１をねじ４７によってねじ止めされてメディアコンバータ本体１１に固定してある。また、光プラグ３０が光コネクタシェル５０に接続される。
【００１６】
光電変換装置４０は、次のようにして製造される。図４に示すように、先ず、一度のリフロー工程でもって、プリント基板４１の上面に、光電変換パッケージ４２、周辺回路パッケージ４３、電子部品４４及び電気コネクタ４５を半田付けされて実装された半完成品７０を得る。次に、光電変換パッケージ４２から突き出しているフェルール４２ａに割りスリーブ８０を嵌合させる。次いで、光コネクタシェル５０にそのＸ２側からフック付きスリーブ８１を組み込む。爪部８１ｄがスリット５０ｇに係合して、フック付きスリーブ８１は光コネクタシェル５０に固定される。次いで、光コネクタシェル５０を、そのフック付きスリーブ８１を割りスリーブ８０に嵌合させて光電変換パッケージ４２と連結させると共に、プリント基板４１に置いて、ボルト６０−１，６０−２とナット６１−１，６１−２とによって固定する。これによって、光電変換装置４０は完成する。リフロー工程は１回で済み、よって、光電変換装置４０は簡単な製造工程で製造される。
【００１７】
図４に示すように、フック付きスリーブ８１は、スリーブ部８１ａと、光プラグ３０をラッチするＸ１側のフック部８１ｂと、光電変換パッケージ４２をラッチするＸ２側のフック部８１ｃとを有する構成である。光コネクタシェル５０と光電変換パッケージ４２とは、図３に示すように、フック付きスリーブ８１の割りスリーブ８０がフェルール４２ａに嵌合してあり、スリーブ部８１ａが割りスリーブ８０の外側に嵌合しており、フック部８１ｃが光電変換パッケージ４２をラッチしている関係にある。
【００１８】
なお、図４に示すように、光コネクタシェル５０は、光プラグが接続されるシェル本体部５０ａと、シェル本体部５０ａからＹ１−Ｙ２方向に張り出しているねじ止め用の張り出し部５０ｂ，５０ｃとを有する。張り出し部５０ｂ，５０ｃの下面５０ｄ，５０ｅがシェル本体部５０ａの下面５０ｆよりＺ１方向に寸法ａずれている。プリント基板４１には、光コネクタシェル５０が取り付けられる部分に、シェル本体部５０ａに対応する大きさの切り欠き部４１ａが形成してある。また、プリント基板４１には、ボルト６０−１，６０−２が通る孔４１ｂ，４１ｃが形成してある。
【００１９】
図２に示すように、光コネクタシェル５０は、シェル本体部５０ａが切り欠き部４１ａ内に嵌合している状態でプリント基板４１に固定してある。プリント基板４１の厚さｔ１は、光コネクタシェル５０のシェル本体部５０ａの高さＨ２の範囲内に含まれることになり、光電変換装置４０の高さはシェル本体部５０ａの高さＨ２と同じくなって、図７に示す従来の光電変換装置１０の高さＨ１０より低い。
【００２０】
また、光電変換装置４０は、図５に示すように、光電変換パッケージ４２が予め結合された状態の光コネクタシェル５０を、プリント基板４１上にボルト６０−１，６０−２とナット６１−１，６１−２とによって固定し、併せて、光電変換パッケージ４２の端子をプリント基板４１上のパッド４１ｄに半田付けすることによって製造することも可能である。
【００２１】
【発明の効果】
上述の如く、本発明によれば、光電変換パッケージを有し、光プラグが接続される光電変換装置において、光電変換パッケージはプリント回路基板上に半田付けされて実装してあり、光プラグが接続される光コネクタシェルはプリント回路基板にねじ止めしてある構成であるため、プリント回路基板上に光電変換パッケージが半田付けされて実装してあるものを用意しておき、このプリント回路基板に光コネクタシェルをねじ止めすれば完成するため、リフロー工程は一回で済み、組立ての工程を簡素化出来、製造コストを低減することが出来る。また、光コネクタシェルはねじ止めであるため、固定の状態を頑丈に出来る。
【図面の簡単な説明】
【図１】本発明の一実施例になる光電変換装置を示す斜視図である。
【図２】図１の光電変換装置の側面図である。
【図３】図２中、ＩＩＩ−ＩＩＩ線に沿う断面図である。
【図４】図１及び図２の光電変換装置の製造方法を説明する図である。
【図５】図１及び図２の光電変換装置の別の製造方法を説明する図である。
【図６】従来の光電変換装置を示す斜視図である。
【図７】図６の光電変換装置の側面図である。
【符号の説明】
１１　メディアコンバータ本体
４０　光電変換装置
４１　メインのプリント基板
４１ａ　切り欠き部
４２　光電変換パッケージ
４３　周辺回路パッケージ
４４　電子部品
４５　電気コネクタ
５０　光コネクタシェル
５０ａ　シェル本体部
５０ｂ，５０ｃ　ねじ止め用の張り出し部
６０−１，６０−２　ボルト
６１−１，６１−２　ナット
７０　半完成品
８０　割りスリーブ
８１　フック付きスリーブ
【図１】
2004093956.tif 000003
【図２】
2004093956.tif 000004
【図３】
2004093956.tif 000005
【図４】
2004093956.tif 000006
【図５】
2004093956.tif 000007
【図６】
2004093956.tif 000008
【図７】
2004093956.tif 000009